(57)【要約】【課題】  おむつを取り替える際に個々に用いられているワゴンは、いずれも汚物であるおむつの交換用としては適してなく、おむつ取り替えの作業性を考慮したものではないという問題がある。【解決手段】連結材によって所定間隔に保持され、それぞれの端部にキャスターを取付けた平行する基材のそれぞれに支柱を立て、この支柱に柄部を兼ねた支持材を上下動可能に取付け、この一方の支柱に、前記基材の間隔と同程度の幅で所望の奥行きを形成する枠体間に所望の数の棚を取付けた棚枠本体を回動可能に取付け、おむつ交換時におむつ交換に必要なものを介護者の至近側部に棚に載せた状態で配置させることができるようにした。【選択図】        図１
2007283011.tif 000002
【特許請求の範囲】
【請求項１】
連結材によって所定間隔に保持され、それぞれの端部にキャスターを取付けた平行する基材のそれぞれに支柱を立て、この支柱に柄部を兼ねた支持材を上下動可能に取付け、この一方の支柱に、前記基材の間隔と同程度の幅で所望の奥行きを形成する枠体間に所望の数の棚を取付けた棚枠本体を回動可能に取付け、おむつ交換時におむつ交換に必要なものを介護者の至近側部に棚に載せた状態で配置させることができるようにしたことを特徴とするおむつ取り替え用ラック。
【請求項２】
請求項１において、前記支持材に取付ける取付け部を両側に有するシートをおむつ交換時に支持材にはめて被介護者の尻から背中にかけて敷くようにしたことを特徴とするおむつ取り替え用ラック。  
【発明の詳細な説明】
【技術分野】
【０００１】
本発明は、病人や寝たきりの人のおむつを取り替える際に用いるためのラックに関する。
【背景技術】
【０００２】
寝たきりの人のおむつの取り替え作業は、看護婦や介護人には定期的に行う重要でしかも手のかかる作業である。その作業には交換用の新しいおむつ、タオル等を用意し、使用済みのおむつを置く場所の確保等が要求される。
そこで、適当なワゴンが介護人等のそばにあると具合がよく、個々には適宜に一般用のワゴンを準備して使用されている。
【０００３】
また、医療用のワゴンとしては注射器等の医療用具を運ぶワゴンは開発されている（例えば、特許文献１参照）。
【特許文献１】特開平７−１２４２０４号公報
【発明の開示】
【発明が解決しようとする課題】
【０００４】
しかしながら、上述した従来の技術においては、いずれも汚物であるおむつの交換用としては適してなく、おむつ取り替えの作業性を考慮したものではないという問題がある。
本発明は、このような問題を解決することを課題とし、移動可能でしかも不使用時はコンパクトでおむつ取り替え時にはおむつ交換作業が容易に行えることを目的とする。
【課題を解決するための手段】
【０００５】
そこで本発明は、連結材によって所定間隔に保持され、それぞれの端部にキャスターを取付けた平行する基材のそれぞれに支柱を立て、この支柱に柄部を兼ねた支持材を上下動可能に取付け、この一方の支柱に、前記基材の間隔と同程度の幅で所望の奥行きを形成する枠体間に所望の数の棚を取付けた棚枠本体を回動可能に取付け、おむつ交換時におむつ交換に必要なものを介護者の至近側部に棚に載せた状態で配置させることができるようにしたことを特徴とする。
【発明の効果】
【０００６】
このようにした本発明は、介護者はベッドに沿って立つことができ、しかもおむつ交換に必要なものは介護者の至近側部に棚に載せた状態で配置させることができることになり、おむつ交換作業が容易に行えることになる。
また、不使用時には基体に棚枠本体を組み付けるためにコンパクトでしかも移動が容易となるという効果が得られる。
【発明を実施するための最良の形態】
【０００７】
以下、図面を参照して本発明による実施例を説明する。
【実施例】
【０００８】
図１は実施例を示す説明図である。
所定間隔に平行に設けた基材１、２のそれぞれの端部にキャスター３を取付け、その基材１、２にそれぞれ支柱４、５を立てる。
この支柱４、５は少なくとも上下において連結材６、７で上記の所定間隔が保持されて基体８が構成される。図において、９は基材１、２の連結材であり、必要に応じて１本もしくは複数本設けると構造上強固となる。
【０００９】
この支柱４、５には、連続した一体構造かそれぞれ支柱毎に独立した独立構造（本実施例では一体構造）で柄部を兼ねた支持材１０、１１が上下動可能に取付けてあり、支柱４、５に対してそれぞれねじ１２によって所望の高さでその位置を保持できるようになっている。
１３は棚枠本体であり、前記２本の基材１、２間隔と同程度の幅で所望の奥行きを形成する枠体１４、１５間に所望の数の棚１６、１７を取付けてあり、前記棚枠本体１３の少なくとも一側の枠体１４もしくは１５に柄部１８が形成してある。
【００１０】
さらに、柄部１８を形成した一側の枠体１４もしくは１５の他方の枠体１５もしくは１４は、ヒンジ等による回転部１９によって棚枠本体１３の支柱４もしくは５に回動可能に取付けてあり、この取付け側の反対側の底部にはキャスター２１が取付けてある。したがって、柄部１８を握って棚枠本体１３を回転部１９を介して基体８に対して回すことができ、これによって不使用時の図１の状態から使用時の図２の状態のように基体８と棚体本体１３とを並べて配置することができる。
【００１１】
なお、本実施例では棚枠本体１３は不使用時には、基体８の支持材１０、１１の柄部側に納まるようになっているが、支持材１０、１１と反対側に納まるようにヒンジを取付けてもよい。
本実施例では棚１６には使用済みのおむつを入れるおむつ入れ２２が、また棚１７には射水口を有する容器２３に入った水を温める加温器２４が置いてある。なお、棚の形状や取付け数は適宜に決めればよいもので、例えば、これらの他に新しいおむつを載せる棚やふき取るタオルを載せる棚等があるとよい。
【００１２】
２５は必要に応じておむつ交換時に敷く合成樹脂製のシートであり、両側の一部に所定長さの、前記支持材１０、１１を通す筒状部や面ファスナーによって筒状部が形成できるようにした取付け部２６、２７が形成してあり、支持１０、１１材にその取付け部２６、２７を介して取付けることにより、おむつ取り替え時に尻から背中にかけてシート２５を敷くことによって、シーツ等を汚さなくてすむと共に加温器２４で温められた容器２３の水を射水口から吹き付けることによって尻を洗浄することもできる。
【００１３】
上述した構成の作用について説明する。
不使用時には、図１に示す如く、棚枠本体１３は基体８の支持体１０、１１に沿って納まっている。なお、この状態では、棚枠本体１３は回動しないように図示しないフック等の係止装置等によって基体８に止められている。
そこで、使用に際しては、ベッドの側部もしくはベッド２８の後部に運び、棚枠本体１３を回転部１９で回転させて基体８と並列にし、ベッドに沿って配置し、キャスターのブレーキをロックする。
【００１４】
その状態で、支持体１０、１１をねじ１２を緩めてベッドの上に位置する高さにする。
これによって、介護者はベッドに沿って立つことができ、しかもおむつ交換に必要なものは介護者の至近側部の棚に載せて棚枠本体１３を位置させることができる。したがって、一般には棚枠本体１３は介護者の右側に位置するように支柱に取付けておくとよい。
そこで、必要に応じて、シート２５を取付け部２６、２７によって支持体１０、１１に嵌め、被介護者（被使用者）の尻から背中にかけてシート２５を敷く。これによって、おむつを交換する際にシーツ等を汚さなくてすむと共に加温器２４で温められた容器２３の水を射水口から吹き付けることによって尻を洗浄することもできる。
【００１５】
使用済みの汚れたおむつはおむつ入れ２２に納める。このようにしておむつの交換が終わったら、シート２５が取付けてある場合にはシートを外し、棚枠本体１３を基体８の元の位置に戻して終了する。
以上説明した本発明によると、おむつ交換時に必要なものを載せた棚を有する棚枠本体を移動可能にした基体の支柱に回動可能に取付け、被介護者に対して基体を対向するようにベッドに沿って配置すると、介護者はベッドに沿って立つことができ、しかもおむつ交換に必要なものは介護者の至近側部に棚に載せた状態で配置させることができることになり、おむつ交換作業が容易に行えることになる。
【００１６】
また、不使用時には基体に棚枠本体を組み付けるためにコンパクトでしかも移動が容易となるものである。
【図面の簡単な説明】
【００１７】
【図１】実施例を示す説明図
【図２】棚枠本体を展開させた状態の説明図
【図３】シートを取付けた使用状態の説明図
【符号の説明】
【００１８】
１、２  基材
３  キャスター
・  支柱
６、７  連結材
８  基体
９  連結材
１０、１１  支持材
１２  ねじ
１３  棚枠本体
１４、１５  枠体
１６、１７  棚
１８  柄部
１９  回転部
２１  キャスター
２２  おむつ入れ
２３  容器
２４  加温器
２５  シート
２６、２７  取付け部
２８  ベッド  
【図１】
2007283011.tif 000003
【図２】
2007283011.tif 000004
【図３】
2007283011.tif 000005